(57)【要約】【課題】電子機器展示用ケースにおいて、表示例が印刷されたダミーシールの表示部への貼付を不要にし、展示対象の電子機器に対する出荷後の検査を容易にする。【解決手段】透明ケース１の凸部１ｂに電子機器３が収納された状態において電子機器３のデジタル表示部３ａが対面する前記凸部１ｂの表面部分に、デジタル表示部３ａの表示例５を印刷する。【選択図】図１
0003171765.tif 000002
【実用新案登録請求の範囲】
【請求項１】
表示部を有する電子機器が収納される凸部を具備する透明ケースと、
前記透明ケースの前記凸部の開口側に装着される台紙とからなる電子機器展示用ケースであって、
前記凸部に収納された状態において前記電子機器の前記表示部が対面する前記透明ケースの前記凸部に、前記表示部の表示例を印刷したことを特徴とする電子機器展示用ケース。
【考案の詳細な説明】
【技術分野】
【０００１】  本考案は、デジタル表示部を具備する卓上電子計算機，タイマー，温度計，湿度計，歩数計などの電子機器を展示販売する際に用いられる電子機器展示用ケースに関するものである。
【背景技術】
【０００２】  従来、比較的小型の商品を店頭において販売するための展示用ケースとして、透明なパッケージを用い、展示する商品が外部から見えるようにしたものがある。例えば、特許文献１に記載されているようなブリスターパック・タイプのものが知られている。【０００３】  また、特許文献２に記載されているように、電子機器展示用ケースとしては、数字あるいは文字を表示する表示部を有する電子機器が収納される凸部を備えた透明ケースと、透明ケースの凸部の開口側に装着される台紙とからなる展示用ケースが一般的である。【０００４】  図２は従来の電子機器展示用ケースを説明するための分解斜視図であり、１は透明ケース、２は台紙、３は展示する対象の電子機器である。【０００５】  透明ケース１は、全体としてプラスチックシートからなり、上部を除いて周囲に折曲げ縁部１ａが形成され、前面には凸部１ｂが形成されている。台紙２は使用説明などが記載されている厚紙製のものである。電子機器３は、本例では、表面側にデジタル表示部３ａや操作部３ｂが設置されている展示対象物としてのタイマーである。【０００６】  また、電子機器３のデジタル表示部３ａには、デジタル表示部３ａの表示例（本例では、８８Ｍ８８Ｓ）４ａが印刷されている透明シール材からなるダミーシール４が着脱可能に貼付されている。【０００７】  透明ケース１へのセット方法は、電子機器３を、デジタル表示部３ａにダミーシール４を貼付した状態で透明ケース１の凸部１ｂ内に収納する。電子機器３が収納された後、台紙２を、折曲げ縁部１ａが形成されていない透明ケース１の上部から、透明ケース１の凸部１ｂの開口側に形成されている折曲げ縁部１ａへ挿入する。そして台紙２を挿入した後、必要に応じて透明ケース１と台紙２とを接合固定する。【０００８】  上記のようにしたことにより、電子機器３がスイッチオンされていない状態で、ダミーシール４によってデジタル表示部３ａにオン状態の表示例４ａが表れる様子を示した電子機器３の展示が行われることになる。このようにすることにより、顧客は、透明ケース１に収納されている状態で、電子機器３の使用時の状態を視認した上で、当該電子機器３を購入することができる。
【先行技術文献】
【特許文献】
【０００９】
【特許文献１】実用新案登録第３００４３０６号公報
【特許文献２】特開２００８−２６５７６９号公報
【考案の概要】
【考案が解決しようとする課題】
【００１０】  従来のダミーシール４によって、電子機器３のデジタル表示部３ａにオン状態の表示例４ａを表示させる展示方法では、製造過程においてダミーシール４が貼付された状態で工場出し／出荷されると、その後に電子機器３の性能検査や信頼性検査などを行う場合、通常、デジタル表示部３ａの表示結果を受けて、検査良否や精度を判定するために、事前にダミーシール４を剥がしておく必要がある。【００１１】  このように従来技術では、検査時に、作業者によりダミーシール４を剥がしたり、貼付したりする作業が必要となる。さらにダミーシール４を上手に剥がしたり、貼付したりしなければ、表示面を汚してしまい不良品を作ってしまうことになる。【００１２】  そこで、本考案は、前記従来技術における表示部へのダミーシールの貼付を不要にして、出荷後の展示対象の電子機器の検査を容易にした電子機器展示用ケースを提供することを目的とする。
【課題を解決するための手段】
【００１３】  前記目的を達成するため、本考案に係る電子機器展示用ケースは、表示部を有する電子機器が収納される凸部を具備する透明ケースと、前記透明ケースの前記凸部の開口側に装着される台紙とからなる電子機器展示用ケースであって、前記凸部に収納された状態において前記電子機器の前記表示部が対面する前記透明ケースの前記凸部に、前記表示部の表示例を印刷したことを特徴とする。
【考案の効果】
【００１４】  本考案に係る電子機器展示用ケースによれば、電子機器がスイッチオンされていない状態でありながら、オン状態の表示例を電子機器の表示部に表わすようにするために、表示部が対面する透明ケースの凸部に表示例を印刷することにより、従来のような表示部へのダミーシールの貼付を不要にして、使用状態を例示した状態の電子機器の展示を行うことができる。【００１５】  このため、本考案によれば、表示部に対応してオン状態の表示例を示すようにしても、電子機器の諸検査を工場出し／出荷後でも容易に行うことができる。さらに従来のような検査作業に伴う不良の発生を未然に防ぐことができる。
【図面の簡単な説明】
【００１６】
【図１】本考案に係る電子機器展示用ケースの実施形態の分解斜視図である。
【図２】従来の電子機器展示用ケースの分解斜視図である。
【考案を実施するための形態】
【００１７】  以下、本考案の好適な実施形態を図面に基づいて説明する。
【００１８】  図１は本考案に係る電子機器展示用ケースの実施形態を説明するための分解斜視図であり、１は透明ケース、２は台紙、３は、展示対象のデジタル表示部を具備する卓上電子計算機，タイマー，温度計，湿度計，歩数計などの電子機器であって、本例ではタイマーを示している。
【００１９】  透明ケース１は、例えばポリエチレンテレフタラート樹脂などの透明プラスチックシートからなり、上部を除いて周囲に折曲げ縁部１ａが形成され、前面には凸部１ｂが形成されている。台紙２は使用説明などが記載されている厚紙製のものである。電子機器３は正面側にデジタル表示部３ａや操作部３ｂなどが設置されている。
【００２０】  また、透明ケース１の凸部１ｂには、電子機器３が該凸部１ｂに収納された状態において、電子機器３のデジタル表示部（表示部）３ａが対面する表面部分（前面）に、デジタル表示部３ａの表示例（本例では、８８Ｍ８８Ｓ）５が印刷されている。
【００２１】  表示例の印刷方法としては、透明ケース１の凸部１ｂの内側あるいは外側のいずれか一方に、通常印刷あるいはインクジェット印刷などを用いるが、それらは使用材料やケース仕様などを考慮して適宜選択して採用する。
【００２２】  また、本実施形態の透明ケース１へのセット方法は既述した従来例と変わるところはなく、電子機器３を透明ケース１の凸部１ｂ内に収納する。電子機器３が収納された後、台紙２を、折曲げ縁部１ａが形成されていない透明ケース１の上部から透明ケース１の凸部１ｂの開口側に形成されている折曲げ縁部１ａへ挿入する。そして、台紙２を挿入した後、必要に応じて透明ケース１と台紙２とを接合固定する。
【００２３】  上記のように、本実施形態によれば、電子機器３がスイッチオンされていない状態で、透明ケース１にオン状態の表示例５が示された状態で電子機器３の展示が行われることになる。このため顧客は、電子機器３の使用状態を視認した上で、当該電子機器３を購入することができる。
【００２４】  さらに、従来のように製造過程においてダミーシール４が貼付されることがないため、工場出し／出荷された後に電子機器３の性能検査や信頼性検査などを行う場合、電子機器３をそのまま検査工程に投入することができる。よって、デジタル表示部３ａの視認による良否や精度の判定を簡単かつ容易に行うことができるようになる。
【産業上の利用可能性】
【００２５】  本考案は、数表示あるいは数表示と共に文字表示を行うＬＥＤ，ＬＣＤなどの表示部を備えてなる各種電子機器の展示用ケースとして有効である。
【符号の説明】
【００２６】１  透明ケース
１ａ  折曲げ縁部
１ｂ  凸部
２  台紙
３  電子機器
３ａ  デジタル表示部（表示部）
５  表示例
【図１】
0003171765.tif 000003
【図２】
0003171765.tif 000004